(57)【特許請求の範囲】
【請求項１】
前面パネル、後面板および左右側面板により枠状に形成されて水平部位に載置可能な基台と、
該基台の後面板の内壁に形成された第一係止部（２ａ）と、基台の前面パネルの内壁に第一係止部（２ａ）に対向して形成された第三係止部（２ｃ）と、基台の後面板内壁の第一係止部（２ａ）の下側に形成された第二係止部（２ｂ）と、を含み、基台の内壁に形成された複数の係止部と、
該係止部のうち、第二係止部（２ｂ）に後端が載置された状態で前記基台の枠内に水平にして設置される水平底板（７）、及び前記係止部のうち第三係止部（２ｃ）と第一係止部（２ａ）に前後端が載置された状態で前記基台の枠内に傾斜して設置される傾斜底板（８）と、
を備え、いずれか一方が選択されて設置された前記水平底板あるいは前記傾斜底板に対して所望の商品を載置することを特徴とする商品陳列台。
【請求項２】
前記水平底板および前記傾斜底板が透明樹脂材からなり、前記水平底板および前記傾斜底板の下側には、彩色されたシート部材が前記係止部の何れかにより係止されて添設されることを特徴とする請求項１記載の商品陳列台。
【請求項３】
前記水平底板上に載置されて、各種所定の商品を専用に陳列する各種専用棚を備えたことを特徴とする請求項１あるいは請求項２記載の商品陳列台。
【請求項４】
前記水平底板の前端には、上方に延出する立片が設けられ、該立片に前記水平底板あるいは専用棚に陳列された商品の色合いなどを示すテスターが取り付けられることを特徴とする請求項１〜請求項３の何れかに記載の商品陳列台。
【請求項５】
前記水平底板の上方を覆う透明カバーを備え、前記水平底板などに商品を載置したディスプレイをなすことを特徴とする請求項１〜請求項４の何れかに記載の商品陳列台。
【請求項６】
前記傾斜底板の前側には、その後側に陳列された商品のサンプルを専用に陳列するサンプル台を備えたことを特徴とする請求項１あるいは請求項２記載の商品陳列台。
【請求項７】
前記傾斜底板の後端には、上方に延出する立片が設けられ、該立片に前記傾斜底板に陳列された商品を仕切る仕切板が取り付けられることを特徴とする請求項１あるいは請求項２または請求項６記載の商品陳列台。
【請求項８】
前記基台の後面板に一体に設けられて下向きに開口するフック部と、
左右側方に長手状に形成されて上下に複数設けられた上向き係止片を有したパネル部材と、
を備え、前記パネル部材の係止片に前記フック部を係止して複数の前記基台を左右上下に複数設置した陳列棚をなすことを特徴とする請求項１〜請求項７の何れかに記載の商品陳列台。
【請求項９】
前記パネル部材の係止片に係止されるフック部を有した一対の取付部と、左右側方に長手状に形成された左右端部に前記各取付部を連結するとともに前記基台のフック部を係止する係止片をなす係止バーとからなる第一腕部材を備え、
該第一腕部材を前記基台と前記パネル部材との間に介在して前記基台の位置を前側に迫り出して配置することを特徴とする請求項８記載の商品陳列台。
【請求項１０】
前記基台の後面板に一体に設けられて下向きに開口するフック部と、
上下方向に所定間隔をおいて複数穿設されたスリット穴を有した左右一対の支柱と、
スリット穴に係止される鉤状フック部を有した一対の取付部と、左右側方に長手状に形成された左右端部に前記各取付部を連結するとともに前記基台のフック部を係止する係止片をなす係止バーとからなる第二腕部材と、
を備え、前記支柱に係止された前記第二腕部材の係止バーに前記フック部を係止して複数の前記基台を左右上下に複数設置した陳列棚をなすことを特徴とする請求項１〜請求項７の何れかに記載の商品陳列台。
【請求項１１】
前記第二腕部材の取付部が前後方向の長さを変えて形成され、所望とする前記基台の位置を前側に迫り出して配置することを特徴とする請求項１０記載の商品陳列台。
【請求項１２】
前記基台の左右側面板の下端に設けられた凹部と、
前記パネル部材あるいは前記第一腕部材または第二腕部材の何れかの係止片に係止されるフック部を有して下方に開放する覆い部内に照明体を配した照明装置と、
を備え、前記基台の凹部に前記照明装置の覆い部を通して、前記照明装置の上側に前記基台を一体的に配したことを特徴とする請求項８〜請求項１１の何れかに記載の商品陳列台。
【発明の詳細な説明】
【０００１】
【発明の属する技術分野】
本発明は、各種所望の商品を様々に陳列できる商品陳列台に関するものである。
【０００２】
【従来の技術】
一般に、店内において新製品や売出し商品を陳列する場合、これら商品専用の陳列スペースを確保して演出効果を高めたいという要望がある。このような場合には、専用の陳列棚を新たに増設するか、あるいは店内に設置されている既存の棚板にこれら商品を陳列する。
【０００３】
専用の陳列棚を増設するには、店内にそのスペースを確保することができなかったり、店内のレイアウトを変更できない諸事情があるなど、困難を伴う場合が多い。このため、多くは、既存の棚板に陳列スペースを確保することになる。
【０００４】
従来、既存の棚板を利用した上で、所望の商品などの専用の陳列スペースを確保し、陳列された商品などを明示するようにするため、図２１で示す商品陳列台１００が提案されている。
【０００５】
この商品陳列台１００は、例えば、口紅、ファンデーション、マニキュアなどの各種所望の商品を陳列するため、各種商品に応じた各小棚１００ａを有している。また、商品陳列台１００は、樹脂材をブロー成形などすることにより専用の各小棚１００ａが一体に成形されている。この商品陳列台１００は、既存の棚板に載置され、演出効果の得られる専用の陳列スペースを確保する。
【０００６】
【発明が解決しようとする課題】
しかしながら、上述した従来の商品陳列台１００は、樹脂材をブロー成形することにより一体成形してなるものであるため、各小棚１００ａの形状が決められてしまう。これにより、各種商品を新製品と入れ換えする際に、商品の形状が異なる場合では、その商品を陳列することができなくなる。また、陳列しない商品があるとその商品にかかる小棚１００ａが空きとなってしまうという問題がある。
【０００７】
また、従来の商品陳列台１００は、樹脂材をブロー成形することにより一体成形してなるものであるため、寸法が決められてしまう。これにより、商品陳列台１００を置くべき既存の棚板への陳列スペースが決まってしまうので、陳列スペースを拡張したり、あるいは縮小する場合、これに対応することができない。
【０００８】
そこで本発明は、上記課題を解消するために、各種商品の形状に対応して商品を陳列することができ、且つ、陳列スペースに応じた商品の陳列を行うこともできる商品陳列台を提供することを目的としている。
【０００９】
【課題を解決するための手段】
上記目的を達成するため本発明による請求項１記載の商品陳列台は、
前面パネル、後面板および左右側面板により枠状に形成されて水平部位に載置可能な基台と、該基台の後面板の内壁に形成された第一係止部（２ａ）と、基台の前面パネルの内壁に第一係止部（２ａ）に対向して形成された第三係止部（２ｃ）と、基台の後面板内壁の第一係止部（２ａ）の下側に形成された第二係止部（２ｂ）と、を含み、基台の内壁に形成された複数の係止部と、該係止部のうち、第二係止部（２ｂ）に後端が載置された状態で前記基台の枠内に水平にして設置される水平底板（７）、及び前記係止部のうち第三係止部（２ｃ）と第一係止部（２ａ）に前後端が載置された状態で前記基台の枠内に傾斜して設置される傾斜底板（８）と、を備え、いずれか一方が選択されて設置された前記水平底板あるいは前記傾斜底板に対して所望の商品を載置することを特徴とする。
【００１０】
請求項２記載の商品陳列台は、請求項１記載の商品陳列台において、
前記水平底板および前記傾斜底板が透明樹脂材からなり、前記水平底板および前記傾斜底板の下側には、彩色されたシート部材が前記係止部の何れかにより係止されて添設されることを特徴とする。
【００１１】
請求項３記載の商品陳列台は、請求項１あるいは請求項２記載の商品陳列台において、
前記水平底板上に載置されて、各種所定の商品を専用に陳列する各種専用棚を備えたことを特徴とする。
【００１２】
請求項４記載の商品陳列台は、請求項１〜請求項３の何れかに記載の商品陳列台において、
前記水平底板の前端には、上方に延出する立片が設けられ、該立片に前記水平底板あるいは専用棚に陳列された商品の色合いなどを示すテスターが取り付けられることを特徴とする。
【００１３】
請求項５記載の商品陳列台は、請求項１〜請求項４の何れかに記載の商品陳列台において、
前記水平底板の上方を覆う透明カバーを備え、前記水平底板などに商品を載置したディスプレイをなすことを特徴とする。
【００１４】
請求項６記載の商品陳列台は、請求項１あるいは請求項２記載の商品陳列台において、
前記傾斜底板の前側には、その後側に陳列された商品のサンプルを専用に陳列するサンプル台を備えたことを特徴とする。
【００１５】
請求項７記載の商品陳列台は、請求項１あるいは請求項２または請求項６記載の商品陳列台において、
前記傾斜底板の後端には、上方に延出する立片が設けられ、該立片に前記傾斜底板に陳列された商品を仕切る仕切板が取り付けられることを特徴とする。
【００１６】
請求項８記載の商品陳列台は、請求項１〜請求項７の何れかに記載の商品陳列台において、
前記基台の後面板に一体に設けられて下向きに開口するフック部と、
左右側方に長手状に形成されて上下に複数設けられた上向き係止片を有したパネル部材と、
を備え、前記パネル部材の係止片に前記フック部を係止して複数の前記基台を左右上下に複数設置した陳列棚をなすことを特徴とする。
【００１７】
請求項９記載の商品陳列台は、請求項８記載の商品陳列台において、
前記パネル部材の係止片に係止されるフック部を有した一対の取付部と、左右側方に長手状に形成された左右端部に前記各取付部を連結するとともに前記基台のフック部を係止する係止片をなす係止バーとからなる第一腕部材を備え、
該第一腕部材を前記基台と前記パネル部材との間に介在して前記基台の位置を前側に迫り出して配置することを特徴とする。
【００１８】
請求項１０記載の商品陳列台は、請求項１〜請求項７の何れかに記載の商品陳列台において、
前記基台の後面板に一体に設けられて下向きに開口するフック部と、
上下方向に所定間隔をおいて複数穿設されたスリット穴を有した左右一対の支柱と、
スリット穴に係止される鉤状フック部を有した一対の取付部と、左右側方に長手状に形成された左右端部に前記各取付部を連結するとともに前記基台のフック部を係止する係止片をなす係止バーとからなる第二腕部材と、
を備え、前記支柱に係止された前記第二腕部材の係止バーに前記フック部を係止して複数の前記基台を左右上下に複数設置した陳列棚をなすことを特徴とする。
【００１９】
請求項１１記載の商品陳列台は、請求項１０記載の商品陳列台において、
前記第二腕部材の取付部が前後方向の長さを変えて形成され、所望とする前記基台の位置を前側に迫り出して配置することを特徴とする。
【００２０】
請求項１２記載の商品陳列台は、請求項８〜請求項１１の何れかに記載の商品陳列台において、
前記基台の左右側面板の下端に設けられた凹部と、
前記パネル部材あるいは前記第一腕部材または第二腕部材の何れかの係止片に係止されるフック部を有して下方に開放する覆い部内に照明体を配した照明装置と、
を備え、前記基台の凹部に前記照明装置の覆い部を通して、前記照明装置の上側に前記基台を一体的に配したことを特徴とする。
【００２１】
【発明の実施の形態】
以下、本発明の実施の形態を図面を参照して具体的に説明する。
図１は本発明の商品陳列台の一例を示す斜視図、図２は同平面図、図３は同側断面図である。
【００２２】
図１乃至図３に示すように、商品陳列台は、既存の棚板などの所望の水平部位（不図示）に載置可能とされた基台１を有してなる。基台１は、本実施の形態では透明な合成樹脂材からなり、前面パネル１ａと、後面板１ｂと、左右側面板１ｃとにより平面視で矩形の枠状に形成されている。後面板１ｂおよび左右側面板１ｃは、水平部位に対して垂直とされ、左右側面板１ｃの各後端に後面板１ｂが一体にして成形されている。左右側面板１ｃの下端、水平部位に載置される脚をなす。左右側面板１ｃは、その上端が前方に向かって狭窄するように水平部位に対して傾斜して形成されている。前面パネル１ａは、左右側面板１ｃの狭窄した各前端に一体にして形成されている。また、前面パネル１ａの内側壁は、水平部位に対して垂直とされている。
【００２３】
また、基台１の枠状の内壁には、以下の複数の係止部が設けられている。
後面板１ｂにおいて、その上側には、下向きに傾斜して左右方向に長手状に形成された第一係止部２ａが突設されている。第一係止部２ａの下側には、その傾斜に沿って後面板１ｂを貫通して左右方向に長手状に形成された挿通穴３が穿設されている。また、後面板１ｂの下側には、水平に向いて左右方向に長手状に形成された第二係止部２ｂが突設されている。
【００２４】
前面パネル１ａにおいて、前記第一係止部２ａがなす傾斜の延長線Ａ上には、第一係止部２ａに対向して上向きに傾斜して形成された第三係止部２ｃが突設されている。第三係止部２ｃは、前面パネル１ａの左右方向の中央にて長手状とされ、且つ、前面パネル１ａの左右端である左右側板１ｃに沿うように三箇所に形成されている。また、前面パネル１ａにおける第三係止部２ｃのやや上方位置には、第三係止部２ｃよりも小さく突設された第四係止部２ｄが二箇所に突設されている。また、前面パネル１ａにおける第三係止部２ｃのやや下方位置には、前記挿通穴３の底面がなす傾斜の延長線Ｂ上に上面を有して、上向きに傾斜して形成された第五係止部２ｅが二箇所に突設されている。
【００２５】
左右側面板１ｃにおける係止部は、各々対向位置にある。左右側面板１ｃの後上側には、前記傾斜の延長線Ａ上のやや上方位置にて円形状の小突起をなす第六係止部２ｆが突設されている。また、左右側面板１ｃの後上側には、前記傾斜の延長線Ｂ上に上面を有して傾斜して形成された第七係止部２ｇが突設されている。また、左右側面板１ｃの下側には、前記第二係止部２ｂがなす水平の延長線Ｃ上に上面を有した第八係止部２ｈが突設されている。また、左右側面板１ｃの前下側には、前記傾斜の延長線Ｂ上に上面を有して傾斜し、且つ、前記水平の延長線Ｃ上に上端を有して形成された第九係止部２ｉが突設されている。
【００２６】
また、基台１の後面板１ｂの外側（後側）には、下向きに開口するフック部４が一体に設けられている。また、左右側面板１ｃの下端には凹部５が設けられている。この凹部５は、第八係止部２ｈおよび第九係止部２ｉに沿うようにして形成されている。
【００２７】
図４（ａ）は水平底板を設置した側断面図、図４（ｂ）は傾斜底板を設置した側断面図である。図４（ａ），（ｂ）に示すように、上述した基台１の枠内には、各係止部の何れかにより水平底板７あるいは傾斜底板８が選択して設置される。
【００２８】
図４（ａ）に示すように、水平底板７は、本実施の形態では透明な合成樹脂材からなり、矩形状の板体をなし、第二係止部２ｂ，第三係止部２ｃ，第八係止部２ｈおよび第九係止部２ｉにより係止される。水平底板７の後端は、第二係止部２ｂの上に載置される。水平底板７の左右側端は、第八係止部２ｈの上、および第九係止部２ｉの上端に載置される。水平底板７の前端は、下方に垂下する脚片７ａを有し、この脚片７ａが第三係止部２ｃの上に載置される。このように、水平底板７は、前記水平な延長線Ｃ上に載置される。なお、水平底板７の前端には、上方に延出する立片７ｂが設けられている。
【００２９】
また、水平底板７の下側には、彩色されたシート部材９が第二係止部２ｂ，第三係止部２ｃ，第八係止部２ｈおよび第九係止部２ｉにより係止されて添設される。このシート部材９は、透明な水平底板７を透過して見える色によって水平底板７上に陳列された商品などを浮き立たす。
【００３０】
図４（ｂ）に示すように、傾斜底板８は、本実施の形態では透明な合成樹脂材からなり、矩形状の板体をなし、第一係止部２ａ，第三係止部２ｃにより係止される。傾斜底板８の後端は、第一係止部２ａの上に載置される。傾斜底板８の前端は、第三係止部２ｃの上に載置される。また、傾斜底板８は、その前端が第四係止部２ｄによって上方に抜け止めされ、その後端が第六係止部２ｆによって上方に抜け止めされる。このように、傾斜底板８は、前記傾斜の延長線Ａ上に載置される。なお、傾斜底板８の後端には、上方に延出する立片８ａが設けられている。
【００３１】
また、傾斜底板８の下側には、彩色されたシート部材１０が挿通穴３から挿通されて、前記傾斜の延長線Ｂ上である挿通穴３の上面，第七係止部２ｇ，第九係止部２ｉおよび第五係止部２ｅにより係止されて添設される。このシート部材１０は、挿通穴３を介して傾斜底板８の有無に関わらず後面板１ｂの外側（後側）から挿脱可能である。このシート部材１０は、透明な傾斜底板８を透過して見える色によって傾斜底板８上に陳列された商品などを浮き立たす。
【００３２】
以下、上記水平底板７あるいは傾斜底板８を用いた商品の陳列について説明する。図５、図６、図７（ａ）（ｂ）、図８、図９は水平底板を用いた商品の陳列状態を示す側断面図、図１０および図１１（ａ）（ｂ）は水平底板の変形例を用いた商品の陳列状態を示す側断面図、図１２乃至図１４は傾斜底板を用いた商品の陳列状態を示す側断面図である。
【００３３】
図５に示すように、水平底板７には、直接商品が載置されている。この場合の商品は、一点鎖線で示すように比較的大きく安定して載置可能なボトル型の商品（例えばネイルカラーリムーバーなど）が好適である。
【００３４】
図６に示すように、水平底板７には、所定の商品を専用に陳列する専用棚１２が設置され、この専用棚１２を用いて所定の商品が載置される。専用棚１２は、本実施の形態では透明な合成樹脂材からなり、後側に配置された上段１２ａと、前側に配置された下段１２ｂとを有している。また、上段１２ａおよび下段１２ｂには、左右方向に所定の商品を色毎に区分けする仕切１２ｃが設けられている。この専用棚１２に載置される所定の商品は、一点鎖線で示すように中細型の商品（例えばマスカラ）が好適であり、下段１２ｂ（前側）にサンプルを色毎に区分けし、その色毎に合わせて上段１２ａ（後側）に商品を区分けして載置する。
【００３５】
図７（ａ）（ｂ）に示すように、水平底板７には、所定の商品を専用に陳列する専用棚１３が設置され、この専用棚１３を用いて所定の商品が載置される。専用棚１３は、本実施の形態では透明な合成樹脂材からなり、図７（ａ）に示す上段１３ａおよび下段１３ｂをなす部位を左右中央に有し、図７（ｂ）に示す筒体１３ｃを左右側部（両側部あるいは一側部）に有している。また、上段１３ａおよび下段１３ｂには、左右方向に所定の商品を色毎に区分けする仕切１３ｄが設けられている。この専用棚１３に載置される所定の商品は、一点鎖線で示すように細型の商品（例えばアイライナー）が好適であり、筒体１３ｃにサンプルを立て、上段１３ａおよび下段１３ｂに各色の商品を区分けして載置する。
【００３６】
図８に示すように、水平底板７には、専用棚１４が設置され、この専用棚１４を用いて所定の雑貨類が載置される。専用棚１４は、本実施の形態では透明な合成樹脂材からなり、図８に示すように水平底板７の一部に載置される箱体をなす。そして、この専用棚１４や水平底板７に対し、商品の説明が記載された折り込みチラシ、サンプルを使用時のミラー、サンプル使用時の拭き取り紙、サンプルを削るシャープナ、綿棒などの雑貨類が載置される。
【００３７】
図９に示すように、水平底板７には、所定の商品を専用に陳列する専用棚１５が設置され、この専用棚１５を用いて所定の商品が載置される。専用棚１５は、本実施の形態では透明な合成樹脂材からなり、後側に配置された上段１５ａと、前側に配置された下段１５ｂとを有している。また、上段１５ａおよび下段１５ｂには、左右方向に所定の商品を色毎に区分けする仕切１５ｃが設けられている。この専用棚１５に載置される所定の商品は、一点鎖線で示すように小型の商品（例えばマニキュア）が好適であり、上段１５ａ（後側）および下段１５ｂ（前側）に色毎に区分けして載置する。特に、商品がマニキュアの場合、水平底板７の立片７ｂには、マニキュアの色サンプルが施されたテスター１５ｄが取り付けられる。テスター１５ｄは、商品を色毎に区分けした前側にそれぞれ設けられ、その色毎に応じた色サンプルを示す。
【００３８】
図１０に示す水平底板７は、その変形例である。図１０に示すように、水平底板７には、ディスプレイ用の商品を取り付ける取付部材１６が一体に設けられている。図１０で示すディスプレイ用の商品は、前記中細型の商品（例えばマスカラ）あるいは細型の商品（例えばアイライナー）を想定している。また、基台１には、水平底板７の上方を覆う透明カバー１７が設けられる。これにより、基台１をディスプレイとして用いている。なお、水平底板７に取付け部材１６を設けず、水平底板７上に直接ディスプレイ用の商品を載置し、透明カバー１７を設けたディスプレイとしてもよい。
【００３９】
図１１（ａ）（ｂ）に示す水平底板７は、その変形例である。図１１（ａ）（ｂ）に示す水平底板７は、板状に形成されておらず、所定の商品を専用に陳列する陳列棚１８として成形されている。この専用棚１８は、第二係止部２ｂ，第四係止部２ｄおよび第五係止部２ｅ上に載置される。また、専用棚１８は、本実施の形態では透明な合成樹脂材からなり、図１１（ａ）に示すように、後側に配置された上段１８ａと、前側に配置された下段１８ｂとを有している。また、図１１（ａ）に示すように、下段１８ｂには、筒体１８ｃが左右方向に複数設けられている。さらに、上段１８ａは、筒体１８ｃの後側にて筒体１８ｃの数分、仕切１８ｄによって区分けされている。この専用棚１８に載置される所定の商品は、図示しないが細型の商品（例えばブラシ類など）が好適であり、筒体１８ｃにサンプルを立て、上段１８ａにその商品を区分けして載置する。また、図１１（ｂ）に示すように、下段１８ｂの左右方向の一側には、サンプル（例えばブラシセットなど）を載置するサンプル部１８ｅが設けられ、且つ、その後側の上段１８ｂには、ブラシセットなどの商品が載置される。
【００４０】
図１２乃至図１４に示すように、傾斜底板８には、直接商品が載置されている。この場合の商品は、一点鎖線で示すように偏平な箱内に収容されている商品（例えばコンパクト類，半液状リップなど）が好適である。また、これらの商品は後側に陳列され、その前側には商品のサンプルを専用に陳列するサンプル台１９ａ乃至１９ｃが設けられる。図１２に示すサンプル台１９ａは、本実施の形態では透明な合成樹脂材からなり、一点鎖線で示すようにコンパクト類のサンプルを開いて置くように傾斜底板８の傾斜と同じ傾斜にして形成されている。また、図１３に示すサンプル台１９ｂは、本実施の形態では透明な合成樹脂材からなり、一点鎖線で示すようにコンパクト類のサンプルを開いて置くとともに、傾斜底板８の傾斜よりも急な傾斜にして形成されている。さらに、図１４に示すサンプル台１９ｃは、本実施の形態では透明な合成樹脂材からなり、一点鎖線で示すように半液状リップのサンプルを左右方向に複数置くように形成され、このサンプルの乾燥防止用の開閉蓋１９ｄを有している。
【００４１】
また、傾斜底板８の立片８ａに仕切板２０を取り付けることにより、商品の区分けを行う。
【００４２】
したがって、このように構成された商品陳列台では、陳列する商品に応じて水平底板７あるいは傾斜底板８を選択し、且つ、専用棚１２，１３，１４，１５，１８、透明カバー１７、サンプル台１９ａ乃至１９ｃを用いた基台１を棚板などの所望の水平部位（不図示）に載置することにより、各種商品の形状に対応して商品を陳列することができるとともに、陳列スペースに応じた商品の陳列を行うことができる。
【００４３】
ところで、上述した基台１は、後面板１ｂに配したフック部４を後述の係止片に係止して陳列棚をなす。図１５に示す係止片２１ａは、フック部４を係止するように上向きに形成され、パネル部材２１に対し、左右側方に長手状に形成されて上下に複数設けられている。これにより、基台１は、パネル部材２１の係止片２１ａの左右方向に複数設置されるとともに、上下方向に複数設置されて、図１７に示すように陳列棚をなす。なお、図１５で示すパネル部材２１は、断面Ｔ字形状を横にして上向きの係止部２１ａをなしているが、断面Ｌ字形状を横にして上向きの係止部２１ａをなしてもよい。
【００４４】
また、図１５に示すように、係止片２１ａには、照明装置２２が取り付けられる。照明装置２２は、下方に開放して左右方向に長手状の覆い部２２ａの左右両端に、パネル部材２１の係止片２１ａに係止されるフック部２２ｂを有している。覆い部２２ａの内部には蛍光灯などの照明体２２ｃや安定器２２ｄが配されている。この照明装置２２は、基台１が係止される係止片２１ａにフック部２２ｂを係止し、基台１の凹部５に覆い部２２ａを通して、その上側に基台１を一体的にする。これにより、左右方向に複数設置される各基台１の下側に一体に照明装置２２が設置され、この照明装置２２によって下側に設置された基台１に陳列された商品を照らす。
【００４５】
図１６に示すように、パネル部材２１と基台１（および照明装置２２）との間には第一腕部材２３が介在される。第一腕部材２３は、パネル部材２１の係止片２１ａに係止されるフック部２４ａおよび前後方向に延びる腕部２４ｂを有した一対の取付部２４と、左右側方に長手状に形成された左右端部に各取付部２４を連結するとともに基台１（および照明装置２２）のフック部４（２２ｂ）を係止する係止片をなす係止バー２５とからなる。取付部２４は、フック部２４ａ下に延設された板片に係止ネジ２６が螺着されている。取付部２４は、係止片２１ａにフック部２４ａを係止して係止ネジ２６をねじ込むことにより上方に上がるのを規制されて、係止片２１ａからの脱落を防止される。また、図１６において、各取付部２４は、固定ネジ２７にて係止バー２５と連結されているが溶接や折り曲げ成形によって一体とされていてもよい。そして、上記第一腕部材２３を基台１（および照明装置２２）とパネル部材２１との間に介在することにより、図１７に示すように基台１（および照明装置２２）の位置が前側に迫り出して配置される。
【００４６】
図１８に示すように、係止バー２５には、長手方向に沿って併設された複数の連結穴２５ａが設けられてる。また、係止バー２５には、連結穴２５ａに代えて長手方向に沿う長穴（不図示）が設けられている。これにより、各取付部２４が固定ネジ２７によって係止バー２５に対して連結される位置を、連結穴２５ａまたは長穴によって可変することが可能である。
【００４７】
なお、上述した基台１（および照明装置２２）は、パネル部材２１の他、図１９に示すように、第二腕部材２９を使用して、上下方向に所定間隔をおいて複数穿設されたスリット穴３０ａを有した左右一対支柱３０に取り付けることが可能である。
【００４８】
図１９に示すように、第二腕部材２９は、スリット穴３０ａに係止される鉤状フック部３１ａおよび前後方向に延びる腕部３１ｂを有した一対の取付部３１と、左右側方に長手状に形成された左右端部に各取付部３１を連結するとともに基台１（および照明装置２２）のフック部４（２２ｂ）を係止する係止片をなす係止バー３２とからなる。各取付部３１は、固定ネジ３３にて係止バー３２と連結されているが溶接や折り曲げ成形によって一体とされていてもよい。そして、上記第二腕部材２９を基台１（および照明装置２２）と支柱３０との間に介在することにより、図２０に示すように基台１（および照明装置２２）が支柱３０に取り付けられて複数の基台１を左右上下に複数設置した陳列棚をなす。また、取付部３１（腕部３１ｂ）の前後方向の長さを変えて長くすることにより、図２０に示すように基台１（および照明装置２２）の位置が前側に迫り出して配置される。
【００４９】
なお、係止バー３２には、長手方向に沿って併設された複数の連結穴、または長手方向に沿う長穴が設けられている（図１８参照）。これにより、各取付部３１が固定ネジ３３によって係止バー３２に対して連結される位置を、連結穴または長穴によって可変することが可能である。
【００５０】
したがって、このように構成された商品陳列台では、複数の基台１を上下左右に配置することにより、水平部位に載置するだけでなく、基台１そのものを陳列棚として用いることができる。この際、基台１とともに照明装置２２も取り付けられ、且つ、下段位置のものを前側に迫り出して配置できるので、商品を目立つように効果的に陳列することが可能である。
【００５１】
【発明の効果】
以上説明したように本発明による商品陳列台は、水平部位に載置可能な基台の内壁に複数の係止部を形成し、この係止部の何れかにより基台の枠内に水平な水平底板、あるいは傾斜した傾斜底板を設け、所望の商品を載置するようにしたので、基台を置く陳列スペースに応じた商品の陳列を行うことができる。
【００５２】
また、水平底板および傾斜底板が透明樹脂材からなり、水平底板および前記傾斜底板の下側に彩色されたシート部材が添設されることにより、シート部材の色が、水平底板および傾斜底板を透過して見えるので、水平底板および傾斜底板上に陳列された商品などを浮き立たすことができる。また、彩色されたシート部材を適宜交換することにより、商品コンセプト、店舗イメージなどに商品陳列台の雰囲気を合わせることができる。また、商品陳列台自体が同じでもイメージを変えることができ、飽きがこない。
【００５３】
また、水平底板上に各種所定の商品を専用に陳列する各種専用棚を載置したことにより、各種商品の形状に対応して商品を陳列することができる。
【００５４】
また、水平底板の前端に上方に延出する立片を設け、該立片に水平底板あるいは専用棚に陳列された商品の色合いなどを示すテスターが取り付けられることにより、商品に応じた陳列形態を得ることができる。
【００５５】
水平底板の上方を覆う透明カバーを備え、水平底板に商品を載置したディスプレイをなすことにより、単に商品を陳列するだけでなく、ディスプレイのスペースを得ることができる。
【００５６】
傾斜底板の前側に、その後側に陳列された商品のサンプルを専用に陳列するサンプル台を備えたことにより、傾斜底板の傾斜を利用した立体感のある商品の陳列を行うことができる。
【００５７】
傾斜底板の後端に立片を設け、該立片に傾斜底板に陳列された商品を仕切る仕切板が取り付けられることにより、専用の棚を無くして商品を区分けした陳列を行うことができる。
【００５８】
基台の後面板に下向きに開口するフック部を設け、このフック部をパネル部材の係止片に係止して、複数の基台を左右上下に複数設置した陳列棚をなすことにより、水平部位にて陳列スペースを得るだけでなく、陳列棚として広く展開された陳列スペースをも得ることができる。
【００５９】
第一腕部材を基台とパネル部材との間に介在して、基台の位置を前側に迫り出して配置することにより、陳列棚として用いられた下段位置の基台を前側に迫り出して配置できるので、商品を目立つように効果的に陳列することができる。
【００６０】
第二腕部材により、上下方向に所定間隔をおいて複数穿設されたスリット穴を有した左右一対の支柱に対し、基台を左右上下に複数設置した陳列棚をなすことにより、水平部位にて陳列スペースを得るだけでなく、一般に用いられている支柱を用いた汎用性を備えた陳列棚として広く展開された陳列スペースをも得ることができる。
【００６１】
第二腕部材の取付部が前後方向の長さを変えて、基台の位置を前側に迫り出して配置することにより、陳列棚として用いられた下段位置の基台を前側に迫り出して配置できるので、商品を目立つように効果的に陳列することができる。
【００６２】
パネル部材あるいは第一または第二腕部材の係止片に係止されるフック部を有して下方に開放する覆い部内に照明体を配した照明装置を備え、基台の左右側面板の下端に凹部を設けて、該凹部に照明装置の覆い部を通して、照明装置の上側に基台を一体的に配したことにより、陳列棚として、基台と一体の照明装置が得られるので、商品を目立つように効果的に陳列することができる。
【図面の簡単な説明】
【図１】本発明の商品陳列台の一例を示す斜視図。
【図２】同平面図。
【図３】同側断面図。
【図４】（ａ）水平底板を設置した側断面図。
（ｂ）傾斜底板を設置した側断面図。
【図５】水平底板を用いた商品の陳列状態を示す側断面図。
【図６】水平底板を用いた商品の陳列状態を示す側断面図。
【図７】（ａ）（ｂ）水平底板を用いた商品の陳列状態を示す側断面図。
【図８】水平底板を用いた商品の陳列状態を示す側断面図。
【図９】水平底板を用いた商品の陳列状態を示す側断面図。
【図１０】水平底板の変形例を用いた商品の陳列状態を示す側断面図。
【図１１】（ａ）（ｂ）水平底板の変形例を用いた商品の陳列状態を示す側断面図。
【図１２】傾斜底板を用いた商品の陳列状態を示す側断面図。
【図１３】傾斜底板を用いた商品の陳列状態を示す側断面図。
【図１４】傾斜底板を用いた商品の陳列状態を示す側断面図。
【図１５】商品陳列台をパネル部材に取り付けた側断面図。
【図１６】商品陳列台を第一腕部材介してパネル部材に取り付けた側断面図。
【図１７】商品陳列台を陳列棚とした側面図。
【図１８】第一腕部材および係止バーを示す平面図。
【図１９】商品陳列台を第二腕部材により支柱に取り付けた側断面図。
【図２０】商品陳列台を陳列棚とした他の例を示す側面図。
【図２１】従来の商品陳列台を示す斜視図。
【符号の説明】
１…基台、１ａ…前面パネル、１ｂ…後面板、１ｃ…左右側面板、２ａ〜２ｉ…第一〜第九係止部、４…フック部、５…凹部、７…水平底板、７ｂ…立片、８…傾斜底板、８ａ…立片、９，１０…シート部材、１２，１３，１４，１５，１８…専用棚、１９ａ〜１９ｃ…サンプル台、２０…仕切板、２１…パネル部材、２１ａ…係止片、２２…照明装置、２２ａ…覆い部、２２ｂ…フック部、２２ｃ…照明体、２３…第一腕部材、２４…取付部、２４ａ…フック部、２５…係止バー、２９…第二腕部材、３０…支柱、３０ａ…スリット穴、３１…取付部、３１ａ…鉤状フック部、３２…係止バー。
【図１】
0003828783.tif 000002
【図２】
0003828783.tif 000003
【図３】
0003828783.tif 000004
【図４】
0003828783.tif 000005
【図５】
0003828783.tif 000006
【図６】
0003828783.tif 000007
【図７】
0003828783.tif 000008
【図８】
0003828783.tif 000009
【図９】
0003828783.tif 000010
【図１０】
0003828783.tif 000011
【図１１】
0003828783.tif 000012
【図１２】
0003828783.tif 000013
【図１３】
0003828783.tif 000014
【図１４】
0003828783.tif 000015
【図１５】
0003828783.tif 000016
【図１６】
0003828783.tif 000017
【図１７】
0003828783.tif 000018
【図１８】
0003828783.tif 000019
【図１９】
0003828783.tif 000020
【図２０】
0003828783.tif 000021
【図２１】
0003828783.tif 000022